(57)【要約】      （修正有）【課題】着呼側通信デバイスのユーザによって入力された情動状態を示すリングバック・トーンの選択を提供すること。【解決手段】着呼側通信デバイスに対するコール中に発呼側通信デバイスに対して再生すべきリングバック・トーンが選択され、ネットワーク内のサービス制御ポイントに登録され、サービス制御ポイントは発呼側通信デバイスに対して再生すべきリングバック・トーンを判定し、着呼側通信デバイスのユーザによって入力された情動状態を示すリングバック・トーンが再生される。【選択図】図２
2006174478.tif 000002
【特許請求の範囲】
【請求項１】
着呼側通信デバイスに対するコール中に発呼側通信デバイスに対して再生すべき、該着呼側通信デバイスのユーザによって入力された情動状態を示すリングバック・トーンを選択するステップからなる方法。
【請求項２】
請求項１記載の方法において、前記着呼側通信デバイスに対する前記コール中に前記発呼側通信デバイスに対して再生すべき、前記着呼側通信デバイスの前記ユーザによって入力された前記情動状態を示す前記リングバック・トーンを選択する前記ステップが、
前記着呼側通信デバイスの前記ユーザによって入力された前記情動状態を受け取るステップ及び、
前記情動状態を使用して、前記情動状態を示すとして前記ユーザによって選択された複数のリングバック・トーンから、前記リングバック・トーンを順次ラウンドロビンの順序で、またはランダムな順序で選択するステップからなる方法。
【請求項３】
請求項１記載の方法であって、さらに、
前記ユーザの前記情動状態が楽しいである場合に使用するために、前記ユーザによって選択された１つまたは複数の楽しいリングバック・トーンの指示を受け取るステップと、
前記ユーザの前記情動状態が悲しいである場合に使用するために、前記ユーザによって選択された１つまたは複数の悲しいリングバック・トーンの指示を受け取るステップからなり、
前記着呼側通信デバイスに対する前記コール中に前記発呼側通信デバイスに対して再生すべき、前記着呼側通信デバイスの前記ユーザによって入力された前記情動状態を示す前記リングバック・トーンを選択する前記ステップは、
前記ユーザの前記情動状態が、楽しいであると判定されると、前記１つまたは複数の楽しいリングバック・トーンから前記リングバック・トーンを選択するステップ及び、
前記ユーザの前記情動状態が、悲しいであると判定されると、前記１つまたは複数の悲しいリングバック・トーンから前記リングバック・トーンを選択するステップからなり、前記情動状態は、楽しい、悲しい、または前記着呼側通信デバイスの前記ユーザと、前記発呼側通信デバイスのユーザの間の関係に依存する追加の情動特性のいずれか１つからなる方法。
【請求項４】
請求項１記載の方法において、前記コールは第１のコールからなり、該方法は、さらに、
前記発呼側通信デバイスに対して既定のリングバック・トーンを再生するように示す、前記着呼側通信デバイスの前記ユーザによって入力された、時間帯基準、曜日基準、日付基準、および／または発呼側ＩＤ基準の１つまたは複数を含む１つまたは複数の客観的リングバック・トーン選択基準を受け取るステップと、
前記発呼側通信デバイスに対して、前記情動状態を示す前記リングバック・トーンを再生するように示す、前記着呼側通信デバイスの前記ユーザによって入力された１つまたは複数の情動状態リングバック・トーン選択基準を受け取るステップと、
前記第１のコールに対して、前記情動状態がアクティブにされていると判定されると、前記１つまたは複数の情動状態リングバック・トーン選択基準を使用して、前記第１のコールに対する前記情動状態を示す前記リングバック・トーンを選択するステップと、
第２のコールに対して、前記情動状態がアクティブにされていないと判定されると、前記１つまたは複数の客観的リングバック・トーン選択基準を使用して、該第２のコールに対する前記既定のリングバック・トーンを選択するステップからなる方法。
【請求項５】
請求項１記載の方法であって、さらに、
前記着呼側通信デバイスの前記ユーザによって入力された前記情動状態を受け取るステップ及び、
前記情動状態を使用して、１つまたは複数の他のリングバック・トーン選択基準を無効にして、前記情動状態がアクティブである間、すべての発呼側通信デバイスに対して再生すべき前記情動状態を示す前記リングバック・トーンを選択するステップからなる方法。
【請求項６】
請求項１記載の方法であって、前記リングバック・トーンは第１のリングバック・トーンからなり、前記情動状態は、第１の情動状態からなり、該方法は、
前記着呼側通信デバイスの前記ユーザによって入力された前記第１の情動状態を受け取るステップ、
前記第１の情動状態を使用して、第１のサブセットの発呼側通信デバイスからのコールに対して再生すべき前記第１のリングバック・トーンを選択するステップ及び、
第２の情動状態、または１つまたは複数の他のリングバック・トーン選択基準を使用して、第２のサブセットの発呼側通信デバイスからのコールに対して再生すべき第２のリングバック・トーンを選択するステップからなる方法。
【請求項７】
請求項１記載の方法であって、さらに、
前記着呼側通信デバイスの前記ユーザによって選択可能な第１の情動状態に関連する第１のリングバック・トーン識別リポジトリを作成するステップ、
前記着呼側通信デバイスの前記ユーザによって選択可能な第２の情動状態に関連する第２のリングバック・トーン識別リポジトリを作成するステップ、
前記第１のリングバック・トーン識別リポジトリに関連付けるべき１つまたは複数の第１のユーザによって選択されたリングバック・トーンの指示を受け取るステップ、
前記第２のリングバック・トーン識別リポジトリに関連付けるべき１つまたは複数の第２のユーザによって選択されたリングバック・トーンの指示を受け取るステップ、
前記１つまたは複数の第１のユーザによって選択されたリングバック・トーンへの参照を前記第１のリングバック・トーン識別リポジトリの中に含めるステップ、
前記１つまたは複数の第２のユーザによって選択されたリングバック・トーンへの参照を前記第２のリングバック・トーン識別リポジトリの中に含めるステップ、及び
前記発呼側通信デバイスに関して前記ユーザによって入力された前記情動状態が、前記第１の情動状態であるか、または前記第２の情動状態であるかに基づき、前記コールに対する前記リングバック・トーンへの参照を、前記第１のリングバック・トーン識別リポジトリから、または前記第２のリングバック・トーン識別リポジトリから選択するステップからなる方法。
【請求項８】
請求項１記載の方法において、前記コールは第１のコールからなり、前記リングバック・トーンは前記第１のコールに対するリングバック・トーンからなり、該方法は、さらに、
前記着呼側通信デバイスの前記ユーザによって入力された主観的ユーザ選好の指示を受け取るステップ、
１つまたは複数のリングバック・トーンを前記主観的選好に関連付けるステップと、
前記主観的ユーザ選好が、前記第２のコールに関してアクティブにされていると判定されると、前記第２のコールに対するリングバック・トーンを、前記主観的ユーザ選好に関連する前記１つまたは複数のリングバック・トーンから選択するステップからなる方法。
【請求項９】
請求項８記載の方法において、前記主観的ユーザ選好はスポーツ・チームに関する選好からなり、前記１つまたは複数のリングバック・トーンは前記スポーツ・チームが勝ったことを示す１つまたは複数のリングバック・トーン、及び前記スポーツ・チームが負けたことを示す１つまたは複数のリングバック・トーンからなり、
前記主観的ユーザ選好が前記第２のコールに関してアクティブにされていると判定されると前記第２のコールに対する前記リングバック・トーンを前記主観的ユーザ選好に関連する前記１つまたは複数のリングバック・トーンから選択する前記ステップが、
前記スポーツ・チームが試合に勝ったか、または負けたかを確認するステップ及び、
前記スポーツ・チームが前記試合に勝ったか、または負けたかに基づき、前記スポーツ・チームが勝ったことを示す前記１つまたは複数のリングバック・トーンから、または前記スポーツ・チームが負けたことを示す前記１つまたは複数のリングバック・トーンから、前記第２のコールに対する前記リングバック・トーンを選択するステップからなる方法。
【請求項１０】
請求項１記載の方法において、前記コールは第１のコールからなり、前記リングバック・トーンは第１のリングバック・トーンからなり、前記発呼側通信デバイスは第１の発呼側通信デバイスからなり、該方法は、さらに、
前記着呼側通信デバイスの前記ユーザによって入力された前記情動状態を、第２の発呼側通信デバイスのユーザによって入力された情動状態と比較して、第２のコール中に前記第２の発呼側通信デバイスに対して、前記着呼側通信デバイスによって入力された前記情動状態を示す前記第１のリングバック・トーンを再生すべきか、前記第２の発呼側通信デバイスによって入力された前記情動状態を示す第２のリングバック・トーンを再生すべきか、または前記着呼側通信デバイスによって入力された前記情動状態も、前記第２の発呼側通信デバイスによって入力された前記情動状態も示さない第３のリングバック・トーンを再生すべきかを判定するステップからなる方法。
【発明の詳細な説明】
【技術分野】
【０００１】
本発明は、一般に、通信に関し、より詳細には、発呼側に対して再生される、着呼側が選択したフィードバックに関する。
【背景技術】
【０００２】
本出願は、本出願と同一の譲受人に譲渡された、以下の出願の主題に関連する主題を含む。以下に列挙する出願は、参照により全体が本明細書に組み込まれている。すなわち、
２００３年１０月１０日に出願された特許出願第１０／６８３９６９号である、Batniらによる「FEEDBACK TO CALLING COMMUNICATION DEVICE ON CALL CONNECTED WITH INTELLIGENT NETWORK SIGNALING」。
２００３年１０月３０日に出願された特許出願第１０／６９７２１６号である、Kevin D. Beaufordによる「CALL CATEGORY FOR A CALL THAT TERMINATES AT ANNOUNCEMENT SERVER COMPONENT」。
【０００３】
既知のリングバック・トーン・サービスは、着呼側通信デバイスのユーザが、発呼側通信デバイスに対して再生されるべきリングバック・トーンを事前選択することを可能にする。従来、発呼側は、着呼側がコールに応答する前に、標準の呼出音を聞く。リングバック・トーン・サービスは、標準の呼出音を、着呼側通信デバイスのユーザによって選択されたリングバック・トーンで置き換える。例えば、発呼側通信デバイスのユーザが、着呼側通信デバイスを呼び出している間に聞く呼出音を、リングバック・トーン・サービスは、着呼側通信デバイスのユーザがカスタマイズすることを可能にする。
【０００４】
リングバック・トーン・サービスをセットアップするのに、着呼側通信デバイスのユーザは、リングバック・トーン・サービス・コンポーネントにリングバック・トーン選択基準を送る。リングバック・トーン選択基準は、様々な状況において、いずれのリングバック・トーンを再生すべきかを示す。例えば、リングバック・トーン選択基準は、第１の特性セットを有するいずれのコールに対しても、第１のユーザによって選択されたリングバック・トーンを再生し、第２の特性セットを有するいずれのコールに対しても、第２のユーザによって選択されたリングバック・トーンを再生するよう、リングバック・トーン・サービス・コンポーネントに命令することができる。
【０００５】
リングバック・トーン・サービスは、発呼側通信デバイスに対して、いずれのリングバック・トーンを再生すべきかを判定するのに、定量的で、客観的なリングバック・トーン選択基準しか受け入れない。例えば、ユーザは、時間帯基準、曜日基準、日付（ｄａｙ  ｏｆ  ｙｅａｒ）基準、および／または発呼側の番号またはＩＤの基準の任意の組み合わせを入力することができる。リングバック・トーン・サービス・コンポーネントは、着信コールの客観的な特性をリングバック・トーン選択基準と比較して、発呼側通信デバイスに対して、いずれのリングバック・トーンを再生すべきかを判定する。リングバック・トーン・サービスは、ユーザが、主観的な要因に基づいてリングバック・トーン選択基準を作成することを可能にしない。１つの欠点として、リングバック・トーン・サービスは、主観的なリングバック・トーン選択基準を許さないことにより、着呼側通信デバイスのユーザに提供されるカスタマイゼーションのレベルを制限する。
【特許文献１】特許出願第１０／６８３９６９号
【特許文献２】特許出願第１０／６９７２１６号
【発明の開示】
【発明が解決しようとする課題】
【０００６】
このため、着呼側通信デバイスのユーザによって選択された主観的要因に基づく、１つまたは複数のリングバック・トーン選択基準の必要性が存在する。
【課題を解決するための手段】
【０００７】
リングバック・トーン・サービスは、発呼側通信デバイスのユーザが、着呼側通信デバイスを呼び出している間に聞く、呼出音をカスタマイズする。リングバック・トーン・サービスは、着呼側通信デバイスのユーザが、様々な状況において、発呼側通信デバイスに対して、いずれのリングバック・トーンを再生すべきかを示すリングバック・トーン選択基準を入力することを可能にする。リングバック・トーン選択基準は、着呼側通信デバイスのユーザによって入力された情動状態などの、主観的要因に基づくことが可能である。
【０００８】
一実施形態では、着呼側通信デバイスに対するコール中に発呼側通信デバイスに対して再生すべき、着呼側通信デバイスのユーザによって入力された情動状態を示すリングバック・トーンを選択するための方法が提供される。
【０００９】
別の実施形態では、複数のリングバック・トーン識別リポジトリを複数のそれぞれの情動状態に関連付けるため、着呼側通信デバイスに対する発呼側通信デバイスからのコールを受信すると、複数のリングバック・トーン識別リポジトリの１つのリングバック・トーン識別リポジトリが、着呼側通信デバイスのユーザによって入力された現在の情動状態に対応すると判定するため、ならびに発呼側通信デバイスに対して、その１つのリングバック・トーン識別リポジトリに関連するリングバック・トーンを再生して、現在の情動状態を示すための方法が提供される。
【００１０】
さらに別の実施形態では、発呼側通信デバイスのユーザによって入力された情動状態を、着呼側通信デバイスのユーザによって入力された情動状態と比較して、発呼側通信デバイスに対して、着呼側通信デバイスによって入力された情動状態を示す第１のリングバック・トーンを再生すべきか、発呼側通信デバイスによって入力された情動状態を示す第２のリングバック・トーンを再生すべきか、または着呼側通信デバイスによって入力された情動状態も、発呼側通信デバイスによって入力された情動状態も示さない第３のリングバック・トーンを再生すべきかを判定するための方法が提供される。
【００１１】
本発明の例示的なインプリメンテーションの諸特徴は、説明、特許請求の範囲、および添付の図面から明白となろう。
【発明を実施するための最良の形態】
【００１２】
図１を参照すると、装置１００が、無線通信システムおよび／または有線通信システムのためのリングバック・トーン・サービスを提供する。一実施形態における装置１００は、１つまたは複数の「ＩＮ」（インテリジェント・ネットワーク）プラットフォーム１０２および１０４と、１つまたは複数の「ＭＳＣ」（移動交換局）１０６および１０８と、発呼側通信デバイス１１０と、着呼側通信デバイス１１２とを含む。一実施例では、装置１００は、着呼側通信デバイス１１２に関連する「ＨＬＲ」（ホーム・ロケーション・レジスタ）１１４をさらに含む。
【００１３】
シグナル・ネットワーク１１８が、インテリジェント・ネットワーク・プラットフォーム１０２および１０４と、ＭＳＣ１０６および１０８と、ホーム・ロケーション・レジスタ１１４とを通信するように結合する。一実施例におけるシグナル・ネットワーク１１８は、シグナル・トラフィックをサポートする「ＳＳ７」（シグナル・システム７）を含む。ベアラ・ネットワーク１２０が、インテリジェント・ネットワーク・プラットフォーム１０４と、ＭＳＣ１０６および１０８とを通信するように結合する。一実施例におけるベアラ・ネットワーク１２０は、ベアラ・トラフィックをサポートする「ＰＳＴＮ」（公衆交換電話網）を含む。
【００１４】
インテリジェント・ネットワーク・プラットフォーム１０２および１０４は、電話ネットワーク・プラットフォームを含む。インテリジェント・ネットワーク・プラットフォーム１０２および１０４は、インテリジェント・ネットワーク技術およびインテリジェント・ネットワーク標準をサポートする。一実施例では、インテリジェント・ネットワーク・プラットフォーム１０２および１０４は、「ＷＩＮ」（無線インテリジェント・ネットワーク）プラットフォームを含む。一実施例では、インテリジェント・ネットワーク・プラットフォーム１０２および１０４は、「ＣＡＭＥＬ」（移動ネットワーク拡張論理のためのカスタマイズされたアプリケーション群）プラットフォームを含む。インテリジェント・ネットワーク・プラットフォーム１０２および１０４の例示的な諸実施形態は、「ＳＣＰ」（サービス制御ポイント）１２２および「ＩＰ」（インテリジェント周辺装置）１２４の１つまたは複数を含む。インテリジェント・ネットワーク・プラットフォーム１０２および１０４は、本明細書で説明する、記録可能なデータ記憶媒体１５０の実例を含む。
【００１５】
インテリジェント・ネットワーク・プラットフォーム１０２および１０４は、組み合わせて、単一のインテリジェント・ネットワーク・プラットフォームにしても、複数のインテリジェント・ネットワーク・プラットフォームに分割してもよい。インテリジェント・ネットワーク・プラットフォーム１０２および１０４は、コールをルーティングし、コールを通信デバイス群に接続し、着呼側通信デバイス１１２に対する発呼側通信デバイス１１０からのコール中に、発呼側通信デバイス１１０に対してリングバック・トーンを再生する役割をする。例えば、インテリジェント・ネットワーク・プラットフォーム１０２および１０４は、リングバック・トーン・サービスを有効にする役割をする。インテリジェント・ネットワーク・プラットフォーム１０２および１０４は、着呼側通信デバイス１１２のユーザが、発呼側通信デバイス１１０に対して再生するリングバック・トーンを事前選択することができるようにする。
【００１６】
一実施例では、ＳＣＰ１２２は、サービス論理と、「ＡＮＳＩ−４１」（米国国家規格協会）メッセージ処理論理と、ＷＩＮメッセージ処理論理と、ＳＳ７インタフェースとを含む。別の実施例では、ＳＣＰ１２２は、サービス論理と、「ＧＳＭ」（Ｇｌｏｂａｌ  Ｓｙｓｔｅｍ  ｆｏｒ  Ｍｏｂｉｌｅ  ｃｏｍｍｕｎｉｃａｔｉｏｎｓ）メッセージ処理論理と、移動ネットワーク拡張論理のためのカスタマイズされたアプリケーション群メッセージ処理論理と、ＳＳＣ７インタフェースとを含む。一実施例におけるＳＣＰ１２２は、コール・コントローラとデータ・サーバとを含む。一実施例では、コール・コントローラとデータ・サーバは、単一のＳＣＰ上に存在する。別の実施例では、コール・コントローラとデータ・サーバは、異なるＳＣＰ上に存在する。コール・コントローラとデータ・サーバが異なるＳＣＰ上に存在する場合、コール・コントローラは、加入者プロファイル情報に関して、別個のＳＣＰ上のデータ・サーバにクエリを行い、発呼側通信デバイス１１０においてどのようなリングバック・トーンを再生すべきかを判定する。一実施例におけるＳＣＰ１２２は、ＩＰ１２４に命令を与えて、ＩＰ１２４の機能を制御する。例えば、ＳＣＰ１２２は、メッセージをＩＰ１２４に送信して、発呼側通信デバイス１１０に対してリングバック・トーンを再生するよう、ＩＰ１２４に命令する。
【００１７】
一実施例におけるＳＣＰ１２２は、ＷＩＮシグナル、ＣＡＭＥＬシグナル、ＡＮＳＩ「ＣＳ−１」（Ｃａｐａｂｉｌｉｔｙ  Ｓｅｔ−１）シグナル、「ＩＴＵ−Ｔ」（国際電気通信連合）ＣＳ−１シグナル，および「ＳＩＰ」（セッション開始プロトコル）シグナルの１つまたは複数を使用して、リングバック・トーン・サービスを要するコールをＩＰ１２４にルーティングする。ＷＩＮシグナルの例示的な使用を本明細書で示す。例えば、ＳＣＰ１２２が、着呼側通信デバイス１１２に対する、ＭＳＣ１０６における着信コールに関連するＷＩＮシグナルを受信し、その着信コールをＩＰ１２４に向けるように、ＷＩＮシグナル・メッセージの中でパラメータを設定する。したがって、ＩＰ１２４は、事前選択されたリングバック・トーンを発呼側通信デバイス１１０に対して再生することができる。例えば、ＳＣＰ１２２は、着信コールをＩＰ１２４にルーティングして、ＩＰ１２４が、着呼側通信デバイス１１２に対するコールの接続に先立って、発呼側通信デバイス１１０において、事前選択されたリングバック・トーンを再生することができるようにする。ＩＰ１２４に着信コールをルーティングするのに、一実施例におけるＳＣＰ１２２は、ＷＩＮシグナル・メッセージのＴｅｒｍｉｎａｔｉｏｎＬｉｓｔパラメータをＩＰＳ１２４のディレクトリ番号に設定する。次に、ＳＣＰ１２２は、ＷＩＮシグナル・メッセージの中のＴｅｒｍｉｎａｔｉｏｎＬｉｓｔパラメータを、着信コールに関して、どのようなアクションを行うべきかについてＳＣＰ１２２にクエリを行ったＭＳＣ１０６に送信する。ＷＩＮシグナル・メッセージを受信すると、ＭＳＣ１０６は、コールをＩＰ１２４に接続する。
【００１８】
一実施例におけるインテリジェント・ネットワーク・プラットフォーム１０２および１０４は、ＷＩＮシグナル、「ＩＳＵＰ」（デジタル総合サービス網ユーザ部）シグナル、およびＡＮＳＩ−４１シグナルを使用して、リングバック・トーン・サービスを有効にする。ＷＩＮシグナル、ＩＳＵＰシグナル、およびＡＮＳＩ−４１シグナルは、ＡＮＳＩ−４１標準に準拠する。１つの例示的なインプリメンテーションでは、シグナル・メッセージは、ＡＮＳＩ／ＴＩＡ／ＥＩＡ−４１−Ｄ標準、ＴＩＡ／ＥＩＡ／ＩＳ−７７１標準、およびＴＩＡ／ＥＩＡ／ＩＳ−８２６標準の１つまたは複数に準拠する。ＳＣＰ１２２は、標準ベースのＷＩＮシグナルを使用して、発呼側通信デバイス１１０からのコールをＩＰ１２４にルーティングするので、他のネットワーク・コンポーネント群は、標準ベースのネットワーク・コンポーネント群であることが可能である。例えば、ＭＳＣ１０６および１０８、ならびにＨＬＲ１１４は、標準ベースのネットワーク・コンポーネントを含む。したがって、ＭＳＣ１０６および１０８、ならびにＨＬＲ１１４は、リングバック・トーン・サービスを有効にするのに変更を要さない。
【００１９】
一実施例では、ＳＣＰ１２２は、着信コールの１つまたは複数の特性が、着呼側通信デバイス１１２のユーザによってセットアップされた１つまたは複数のリングバック・トーン選択基準と一致すると判定する。したがって、ＳＣＰ１２２は、着信コールをＩＰ１２４にルーティングして、リングバック・トーン・サービスを呼び出す。着信コールが、リングバック・トーン選択基準と一致した場合、ＩＰ１２４は、発呼側通信デバイス１１０において、事前選択されたリングバック・トーンを再生する。ＩＰ１２４は、発呼側通信デバイス１１０からのコールの受信と、着呼側通信デバイス１１２によるコールの応答の間に、発呼側通信デバイスにおいてリングバック・トーンを再生する。一実施例では、ＩＰ１２４は、利用可能なリングバック・トーンを格納する。別の実施例では、ＩＰ１２４は、利用可能なリングバック・トーンを格納するストレージ・コンポーネントにアクセスする。
【００２０】
別の実施例では、着信コールの１つまたは複数の特性は、１つまたは複数のリングバック・トーン選択基準と一致しない。その場合、ＳＣＰ１２２は、着信コールをＩＰ１２４にルーティングして、発呼側通信デバイス１１０に対して再生されるべき既定のリングバック・トーンを呼び出すか、または、代替として、継続メッセージで応答して、発呼側通信デバイス１１０に対して、Ｏ−ＭＳＣ１０６が、通常のリングバック・トーンを再生するようにさせることができる。
【００２１】
ＩＰ１２４は、コール・レッグを発呼側通信デバイス１１０および着呼側通信デバイス１１２に個々に接続して、発呼側通信デバイス１１０を着呼側通信デバイス１１２と通信するように結合する。例えば、ＩＰ１２４が、発呼側通信デバイス１１０からの着信コール・レッグを受信する。ＩＰ１２４は、着信コール・レッグと接続して、発呼側通信デバイス１１０との通信を確立する。次に、ＩＰ１２４は、着呼側通信デバイス１１２に対する発信コール・レッグを開始して、着呼側通信デバイス１１２との通信を確立する。発呼側通信デバイス１１０を着呼側通信デバイス１１２と接続するために、ＩＰ１２４は、着信コール・レッグを発信コール・レッグと橋渡しする。例えば、ＩＰ１２４は、着信コール・レッグを発信コール・レッグとヘアピン型にする。
【００２２】
ＭＳＣ１０６および１０８は、移動遠隔通信デバイス群、例えば、通信デバイス１１０および１１２をサポートする。一実施例におけるＭＳＣ１０６および１０８は、「Ｏ−ＭＳＣ」（起点移動交換局）１０６と、「Ｓ−ＭＳＣ」（サービス移動交換局）１０８とを含む。例えば、Ｏ−ＭＳＣ１０６は、着呼側通信デバイス１１２のホーム・エリアをサポートし、Ｓ−ＭＳＣ１０８は、着呼側通信デバイス１１２が、ローミング・エリアに移動している場合、着呼側通信デバイス１１２をサポートする。着呼側通信デバイス１１２が、Ｏ−ＭＳＣ１０６によってサポートされるホーム・エリア内に存在する場合、Ｓ−ＭＳＣ１０８は、発呼側通信デバイス１１０と着呼側通信デバイス１１２のコール・パスに存在しない可能性がある。例えば、Ｏ−ＭＳＣ１０６は、着呼側通信デバイス１１２に対するＳ−ＭＳＣとしての役割もする。
【００２３】
図１〜図３を参照すると、装置１００の１つの例示的な動作の実例となる説明が、説明のために提示されている。例示的な論理２０２は、着呼側通信デバイス１１２のユーザによって入力された情動状態を示すリングバック・トーンの選択を例示する役割をする。論理２０２は、１つまたは複数のステップ、例えば、ステップ２０４、２０６、２０８、２１０、および２１２を使用する。一実施例における着呼側通信デバイス１１２のユーザは、ステップ２０４を実行する。一実施例におけるＳＣＰ１２２は、ステップ２０６、２０８、２１０、および２１２を実行する。
【００２４】
ステップ２０４で、着呼側通信デバイス１１２のユーザが、リングバック・トーン選択基準を入力して、リングバック・トーン・サービスをセットアップする。一実施例では、ユーザは、Ｗｅｂインタフェースを使用して、リングバック・トーン選択基準を入力する。別の実施例では、ユーザは、着呼側通信デバイス１１２によって提示される対話型音声応答メニュー、または無線アプリケーション・プロトコル・メニューを使用して、リングバック・トーン選択基準を入力する。ユーザは、リングバック・トーン・サービスの初期構成のためにＷｅｂインタフェースを使用し、次に、着呼側通信デバイス１１２上のメニューを使用して、調整を行ってもよい。例えば、ユーザは、着呼側通信デバイス１１２上のメニューを使用して、着呼側通信デバイス１１２のユーザに関する、ネットワーク・プロファイル３０２の中に格納された現在の情動状態を、楽しいから悲しいに変更することができる。別の実施例では、ユーザは、着呼側通信デバイス１１２上のメニューを使用して、着呼側通信デバイス１１２のユーザに関する、情動状態優先プロファイル３０３の中に格納された現在の優先情動状態を、楽しいから悲しいに変更することができる。一実施例における着呼側通信デバイス１１２は、ユーザが選択するように、情動状態を表す複数のイモーティコン（ｅｍｏｔｉｃｏｎ）を表示する。例えば、ユーザは、ネットワーク・プロファイル３０２の中に格納された様々な発呼者にイモーティコンを関連付けることができる。別の実施例では、ユーザは、情動状態優先プロファイル３０３の中のすべての発呼者にイモーティコンを関連付けることができる。
【００２５】
着呼側通信デバイス１１２のユーザは、特定の特性を有する着信コールが出現した際にリングバック・トーン・サービスを呼び出すよう、ＳＣＰ１２２に命令することができる。例えば、ユーザは、リングバック・トーン選択基準をＳＣＰ１２２に送信して、特定の特性を有する着信コールに対して再生すべき特定のリングバック・トーンを示す。リングバック・トーン選択基準は、時間帯、曜日、日付、および／または発呼側番号または発呼側ＩＤなどの、客観的要因に基づくことが可能である。また、リングバック・トーン選択基準は、着呼側通信デバイスのユーザによって入力された情動状態などの、主観的要因に基づくことも可能である。情動状態は、楽しい、悲しい、怒っている、困惑している、恥じをかいている、失望しているなどの、人間の情動を含むことが可能である。情動状態は、微笑む情動、眉をひそめる情動、怒った情動、ウインクする情動、泣き叫ぶ情動、激しい情動などの、情動に関連することも可能である。
【００２６】
一実施例におけるリングバック・トーン選択基準は、情動状態リングバック・トーン選択基準を含む。例えば、情動状態リングバック・トーン選択基準は、着呼側通信デバイス１１２のユーザによって入力された情動状態に基づいて、いずれのリングバック・トーンを再生すべきかを示す。
【００２７】
一実施例では、情動状態リングバック・トーン選択基準は、情動状態優先基準を示す。情動状態優先プロファイル３０３が、情動状態優先基準を格納する。ユーザが、優先情動状態をアクティブにすると、優先情動状態が、すべての着信コールに関するリングバック・トーンを決めるのに使用され、他のリングバック・トーン選択基準に優先する。例えば、優先情動状態が悲しいに設定されている場合、悲しい情動状態が、すべての着信コールに関するリングバック・トーンを決めるのに使用される。
【００２８】
別の実施例では、情動状態優先プロファイル３０３は、アクティブではなく、ＳＣＰ１２２は、ネットワーク・プロファイル３０２の中に格納されたリングバック・トーン選択基準を使用して、リングバック・トーンを選択する。ネットワーク・プロファイル３０２の中に格納された情動状態は、個々の発呼者、またはユーザが選択した発呼者のサブグループに対するリングバック・トーンを決めるのに使用される。例えば、着呼側通信デバイス１１２のユーザが、発呼側通信デバイス１１０だけに対して、ある情動状態を設定することが可能である。情動状態は、着呼側通信デバイス１１２のユーザと、発呼側通信デバイス１１０のユーザの間の特別な関係に基づくことが可能である。例えば、着呼側通信デバイス１１２のユーザと、発呼側通信デバイス１１０のユーザが、争いをしていた場合、着呼側通信デバイス１１２のユーザは、発呼側通信デバイス１１０のユーザからのコールに関して、悲しい情動状態、または怒った情動状態を入力することが可能である。ネットワーク・プロファイル３０２は、個々の発呼者、またはユーザが選択した発呼者のサブグループに対して入力された情動状態を格納する。
【００２９】
ステップ２０６で、ＳＣＰ１２２が、情動状態リングバック・トーン選択基準を格納する。例えば、ＳＣＰ１２２は、着呼側通信デバイス１１２のユーザのネットワーク・プロファイル３０２の中で１つまたは複数のエントリを作成して、情動状態リングバック・トーン選択基準を格納する。ネットワーク・プロファイル３０２は、様々な発呼側に適用されるべき現在の情動状態を格納する。ＳＣＰ１２２は、着呼側通信デバイス１１２のユーザによって入力された現在の情動状態をネットワーク・プロファイル３０２の中に格納する。ユーザによって入力された情動状態の変更を受信すると、ＳＣＰ１２２は、ネットワーク・プロファイル３０２の中のエントリを変更して、新たな現在の情動状態を反映させる。別の実施例では、ＳＣＰ１２２は、優先情動状態を受け取る。ＳＣＰ１２２は、優先情動状態を情動状態優先プロファイル３０３の中に格納する。アクティブである場合、情動状態優先プロファイル３０３の中の情動状態は、ネットワーク・プロファイル３０２の中に格納された、あらゆるリングバック・トーン選択基準に優先する。情動状態優先プロファイル３０３の中の情動状態が、アクティブではない場合、ＳＣＰ１２２は、ネットワーク・プロファイル３０２の中に格納されたリングバック・トーン選択基準を使用して、リングバック・トーンを選択する。
【００３０】
ＳＣＰ１２２は、複数のリングバック・トーン「ＩＤ」（識別）リポジトリを作成して、着呼側通信デバイス１１２に関して利用可能なリングバック・トーンを編成する。リングバック・トーンＩＤリポジトリは、リングバック・トーンへの１つまたは複数の参照を含む。例えば、リングバック・トーンへの参照は、リングバック・トーンの識別および／またはロケーションを含む。リングバック・トーンＩＤリポジトリは、複数のそれぞれの情動状態に関連することが可能である。一実施例における複数のリングバック・トーンＩＤリポジトリは、楽しいリングバック・トーンＩＤリポジトリ３０４と、悲しいリングバック・トーンＩＤリポジトリ３０６と、一般的なリングバック・トーンＩＤリポジトリ３０８とを含む。
【００３１】
情動状態リングバック・トーン選択基準は、特定の情動状態を示す１つまたは複数の特定のリングバック・トーンの指示を含む。着呼側通信デバイス１１２のユーザが、各情動状態を示すべき１つまたは複数のリングバック・トーンを選択する。例えば、ユーザは、楽しい情動状態を示すべき１つまたは複数のリングバック・トーン、悲しい情動状態を示すべき１つまたは複数のリングバック・トーン、および特定の情動状態を示さない１つまたは複数のリングバック・トーンを選択する。ＳＣＰ１２２は、楽しいリングバック・トーンＩＤリポジトリ３０４の中に、楽しい情動状態を示す１つまたは複数のリングバック・トーンへの参照を含める。ＳＣＰ１２２は、悲しいリングバック・トーンＩＤリポジトリ３０６の中に、悲しい情動状態を示す１つまたは複数のリングバック・トーンへの参照を含める。ＳＣＰ１２２は、一般的なリングバック・トーンＩＤリポジトリ３０８の中に、特定の情動状態を示さない１つまたは複数のリングバック・トーンへの参照を含める。
【００３２】
ステップ２０８で、発呼側通信デバイス１１０からのコールを受信すると、ＳＣＰ１２２は、情動状態優先プロファイル３０３を調べて、ユーザが、優先情動状態を設定しているかどうかを判定する。一実施例では、ユーザは、優先情動状態を設定しており、ＳＣＰ１２２は、情動状態優先プロファイル３０３の中の優先情動状態を使用して、コール上で再生すべきリングバック・トーンを決める。別の実施例では、ユーザは、優先情動状態を設定しておらず、ＳＣＰ１２２は、ネットワーク・プロファイル３０２を使用して、発呼側通信デバイス１１０に対して、いずれのリングバック・トーンを再生すべきかを判定する。
【００３３】
ステップ２１０で、一実施例におけるＳＣＰ１２２は、ユーザが、優先情動状態を設定しておらず、着呼側通信デバイス１００が、ネットワーク・プロファイル３０２の中の発呼者＃１であると判定する。ＳＣＰ１２２は、発呼側通信デバイス１１０に対して、着呼側通信デバイス１１２によって設定された現在の情動状態が、空ではなく、楽しい情動状態に設定されていると判定する。例えば、情動状態リングバック・トーン選択基準は、楽しい情動状態を示すリングバック・トーンを再生するように示す。ＳＣＰ１２２は、楽しいリングバック・トーンＩＤリポジトリ３０４が、発呼側通信デバイス１１０に対して、着呼側通信デバイス１１２のユーザによって入力された現在の情動状態に対応すると判定する。
【００３４】
ステップ２１２で、ＳＣＰ１２２は、楽しいリングバック・トーンＩＤリポジトリ３０４の中に格納されたリングバック・トーン参照に対応する１つまたは複数のリングバック・トーンからのリングバック・トーンを再生するよう、ＩＰ１２４に命令する。ＳＣＰ１２２は、楽しいリングバック・トーンＩＤリポジトリ３０４の中に格納されたリングバック・トーンへの１つまたは複数の参照から、リングバック・トーンへの参照をランダムに選択することができる。代替として、ＳＣＰ１２２は、リングバック・トーン参照選択のために、順序ラウンドロビン選択などの、他の選択基準を使用することができる。ＳＣＰ１２２は、その情報をＩＰ１２４に送信し、ＩＰ１２４は、着呼側通信デバイス１１２のユーザが、コールに応答する前に、発呼側通信デバイス１１０に対して、楽しい情動状態を示すリングバック・トーンを再生する。一実施例における、楽しい情動状態を示すリングバック・トーンは、着呼側通信デバイス１１２のユーザの現在の情動状態を、発呼側通信デバイス１１０のユーザに伝える役割をする。リングバック・トーンは、その後の会話の雰囲気を整えるのに使用することができる。着呼側通信デバイス１１２のユーザが、悲しんでいる場合、発呼側通信デバイス１１０のユーザは、悲しいリングバック・トーンを聴き、発呼側通信デバイス１１０のユーザは、着呼側通信デバイス１１２のユーザの情動状態に相応するように、会話の雰囲気を変更することができる。例えば、発呼側通信デバイス１１０のユーザは、コール上で、あふれる喜びを控えることができる。
【００３５】
図１および図３を参照すると、一実施例における、着呼側通信デバイス１１２のユーザによって入力されたリングバック・トーン選択基準が、ネットワーク・プロファイル３０２の中に格納される。一実施例における着呼側通信デバイス１１２のユーザは、ネットワーク・プロファイル３０２のエントリ３１０の中に格納された発呼者＃１からのコールに関して、楽しい情動状態をアクティブにし、ネットワーク・プロファイル３０２のエントリ３１２の中に格納された発呼者＃２からのコールに関して、悲しい情動状態をアクティブにする。楽しい情動状態、および悲しい情動状態は、リポジトリ・ポインタ・テーブル３１６をポイントする。リポジトリ・ポイント・テーブル３１６は、ＳＣＰ１２２を適切なリングバック・トーンＩＤリポジトリに誘導する。例えば、リポジトリ・ポインタ・テーブル３１６は、楽しいリングバック・トーンＩＤリポジトリ３０４へのポインタを有する、楽しい情動状態に関するエントリを含む。また、リポジトリ・ポインタ・テーブル３１６は、悲しいリングバック・トーンＩＤリポジトリ３０６へのポインタを有する、悲しい情動状態に関するエントリも含む。リングバック・トーンは、エントリ３１０の中に格納された発呼者＃１からのコールに関して、楽しいリングバック・トーンＩＤリポジトリ３０４から選択され、エントリ３１２の中に格納された発呼者＃２からのコールに関して、悲しいリングバック・トーンＩＤリポジトリ３０６から選択される。
【００３６】
一実施例における着呼側通信デバイス１１２のユーザは、ネットワーク・プロファイル３０２のエントリ３１４の中に格納された発呼者＃３に対して、または他の発呼者からのコールに関して、情動状態をアクティブにしない。したがって、エントリ３１４の中に格納された発呼者＃３、または他の発呼者からのコールに関するリングバック・トーンは、一般的なリングバック・トーンＩＤリポジトリ３０８から選択される。例えば、リングバック・トーン選択基準が、エントリ３１４の中に格納された発呼者＃３からのコールに関して、一般的なリングバック・トーンＩＤリポジトリ３０８からリングバック・トーン参照３１６を選択し、他の発呼者からのコールに関して、一般的なリングバック・トーンＩＤリポジトリ３０８からリングバック・トーン参照３１８を選択するように示す。ネットワーク・プロファイル３０２は、時間帯選択基準または曜日選択基準などの、情動状態リングバック・トーン選択基準に加えて、他のリングバック・トーン選択基準（図示せず）を格納してもよい。
【００３７】
情動状態に加えて、着呼側通信デバイス１１２のユーザは、リングバック・トーン選択を、他の主観的ユーザ選好に基づかせることもできる。例えば、ユーザは、１つまたは複数のリングバック・トーンを主観的ユーザ選好に関連付けることができる。コールに関して、主観的ユーザ選好がアクティブにされると判定すると、ＳＣＰ１２２は、その主観的ユーザ選好に関連付けられた１つまたは複数のリングバック・トーンの１つを再生することを選択する。一実施例における主観的ユーザ選好は、スポーツ・チーム選好を含む。リングバック・トーン選択基準は、ユーザが、特定のスポーツ・チームのファンであるという指示を含むことが可能である。そのチームが勝ち、ＳＣＰ１２２が、着呼側通信デバイス１１２に対するコールを受信した場合、ＳＣＰ１２２は、楽しいリングバック・トーンＩＤリポジトリ３０４からリングバック・トーンを選択することができる。チームが負け、ＳＣＰ１２２が、着呼側通信デバイス１１２に対するコールを受信した場合、ＳＣＰ１２２は、悲しいリングバック・トーンＩＤリポジトリ３０６からリングバック・トーンを選択することができる。
【００３８】
図１および図４を参照すると、装置１００の別の例示的な動作の実例を示す説明が、説明のために提示されている。例示的な論理４０２は、コールに関して、いずれのリングバック・トーンを再生すべきかを判定する２つの現在の情動状態の比較を例示する役割をする。情動状態は、発呼側通信デバイス１１０のユーザ、および着呼側通信デバイス１１２のユーザによって入力される。論理４０２は、１つまたは複数のステップ、例えば、ステップ４０４、４０６、４０８、および４１０を使用する。一実施例におけるＳＣＰ１２２は、ステップ４０４、４０６、４０８、および４１０を実行する。
【００３９】
ステップ４０４で、ＳＣＰ１２２は、発呼側通信デバイス１１０から着呼側通信デバイス１１２へのコールを受信する。一実施例では、ＳＣＰ１２２は、着呼側通信デバイス１１２のユーザ・プロファイル３０２（図３）と、発呼側通信デバイス１１０のユーザ・プロファイル（図示せず）の両方へのアクセスを有する。ステップ４０６で、ＳＣＰ１２２が、着呼側通信デバイス１１２のネットワーク・プロファイル３０２にアクセスして、着呼側通信デバイス１１２のユーザによって入力された、そのコールに関する妥当な現在の情動状態を獲得する。ステップ４０８で、ＳＣＰ１２２は、発呼側通信デバイス１１０のネットワーク・プロファイルにアクセスして、発呼側通信デバイス１１０のユーザによって入力された、そのコールに関する妥当な現在の情動状態を獲得する。ステップ４１０で、ＳＣＰ１２２は、その２つの現在の情動状態を比較し、着呼側通信デバイス１１２によって入力された情動状態を示す第１のリングバック・トーンを再生すべきか、発呼側通信デバイス１１０によって入力された情動状態を示す第２のリングバック・トーンを再生すべきか、または着呼側通信デバイス１１２によって入力された情動状態も、発呼側通信デバイス１１０によって入力された情動状態も示さない第３のリングバック・トーンを再生すべきかを判定する。
【００４０】
一実施例における装置１００は、コンピュータ・ソフトウェアおよび／またはハードウェア・コンポーネントなどの、複数のコンポーネントを含む。いくつかのそのようなコンポーネントが、装置１００の中で組み合わされる、または分割されることが可能である。装置１００の例示的なコンポーネントは、当業者には理解されるとおり、いくつかのプログラミング言語のいずれかで書かれた、または実装された、一組の、かつ／または一続きのコンピュータ命令を使用し、かつ／または含む。
【００４１】
一実施例における装置１００は、１つまたは複数のコンピュータ可読の信号が記録されている媒体を使用する。コンピュータ可読の信号が記録されている媒体は、本発明の１つまたは複数の実施形態の１つまたは複数の部分を実行するためのソフトウェア、ファームウェア、および／またはアセンブリ言語を格納する。装置１００のためのコンピュータ可読の信号を記録している媒体の実施例は、インテリジェント・ネットワーク・プラットフォーム１０２および１０４の記録可能なデータ記憶媒体１５０を含む。一実施例における装置１００のためのコンピュータ可読の信号を記録している媒体は、磁気データ記憶媒体、電気データ記憶媒体、光データ記憶媒体、生物データ記憶媒体、および原子データ記憶媒体を含む。例えば、コンピュータ可読の信号を記録している媒体は、フロッピー（登録商標）・ディスク、磁気テープ、ＣＤ−ＲＯＭ、ＤＶＤ−ＲＯＭ、ハードディスク・ドライブ、および電子メモリを含む。別の実施例では、コンピュータ可読の信号を記録している媒体は、装置１００を含む、または装置１００に結合されたネットワークを介して、例えば、電話ネットワーク、「ＬＡＮ」（ローカル・エリア・ネットワーク）、「ＷＡＮ」（ワイド・エリア・ネットワーク）、インターネット、および無線ネットワークの１つまたは複数を介して伝送される、変調されたキャリア信号を含む。
【００４２】
本明細書で説明したステップまたは動作は、単に例示的である。本発明の趣旨を逸脱することなく、それらのステップまたは動作の多くの変種が存在することが可能である。例えば、ステップは、異なる順序で実行されることも可能であり、あるいはステップが、追加される、削除される、または変更されることも可能である。
【００４３】
本発明の例示的なインプリメンテーションを本明細書で図示し、詳細に説明してきたが、本発明の趣旨を逸脱することなく、様々な変更、追加、置き換えなどを行うことができ、したがって、それらは、添付の特許請求の範囲で定義される本発明の範囲内に含まれるものと考えられることが、当業者には明白であろう。
【図面の簡単な説明】
【００４４】
【図１】１つまたは複数のインテリジェント・ネットワーク・プラットフォームと、１つまたは複数の移動交換局と、発呼側通信デバイスと、着呼側通信デバイスとを含む装置の１つのインプリメンテーションを示す図である。
【図２】図１の装置の着呼側通信デバイスのユーザによって入力された情動状態を示すリングバック・トーンの選択を示す１つの例示的な論理の流れを示す図である。
【図３】図１の装置の着呼側通信デバイスに関する１つまたは複数のリングバック・トーン識別リポジトリ、および１つまたは複数のネットワーク・プロファイルを示す図である。
【図４】コールに関して、いずれのリングバック・トーンを再生すべきかを判定する２つの現在の情動状態の比較を示す１つの例示的な論理の流れを示す図である。情動状態は、図１の装置の着呼側通信デバイスのユーザ、および発呼側通信デバイスのユーザによって入力される。
【図１】
2006174478.tif 000003
【図２】
2006174478.tif 000004
【図３】
2006174478.tif 000005
【図４】
2006174478.tif 000006